(57)【特許請求の範囲】
【請求項１】
ラジオ文字放送の受信回路と、該受信回路で受信したデータを文字化処理するための文字化処理回路と、該文字化処理回路と結線された文字フォントセットと、前記文字化処理回路で文字化されたデータを表示手段、出力手段又は記憶手段に接続するための切替スイッチと、前記受信回路、文字化処理回路、切替スイッチと結線されたＣＰＵ及びブート命令ＲＯＭと、前記ＣＰＵに対して受信を希望する文字放送の周波数・番組名・日時・開始時間及び終了時間を予約するための操作部とからなり、
前記ＣＰＵが操作部より入力された周波数・番組名・日時・開始時間及び終了時間の予約に基づき所定時間（開始時間）になった時に、ラジオ受信回路の電源をＯＦＦからＯＮに切り替えると共にラジオ受信回路の受信周波数及び番組を所定のものに切り替えて受信を開始し、該受信回路で受信されたデータを文字化処理回路を介して文字化処理を行い、該文字化データを記憶手段にメモリーしていき、予約した終了時間後にラジオ受信回路の電源をＯＮからＯＦＦに切り替えると共に、記憶手段への文字化データの蓄積を停止するように構成され、操作部からの指示に基づき記憶手段にメモリーされた文字化データをＣＰＵが切替スイッチを操作して表示手段又は出力手段に出力するように構成されたことを特徴とするラジオ文字放送の自動受信機。
【請求項２】
前記表示手段が、文字放送の自動受信機に配置されたディスプレイからなり、該ディスプレイは記憶手段から送信される文字化データを表示用フォーマット処理回路を介して表示するように構成されていることを特徴とする請求項１記載のラジオ文字放送の自動受信機。
【請求項３】
前記表示手段が外部表示手段であり、該外部表示手段に表示させるために受信機に記憶手段から送信される文字化データを表示用フォーマット処理回路及び処理回路の出力データを外部表示手段に送信するための表示用インターフェースを有することを特徴とする請求項１記載のラジオ文字放送の自動受信機。
【請求項４】
前記出力手段が、プリンター若しくはファクシミリ等の外部出力手段であり、記憶手段から送信される文字化データを出力するために、受信機に出力用フォーマット処理回路及び該処理回路の出力を外部に接続するためのインターフェースを有することを特徴とする請求項１記載のラジオ文字放送の自動受信機。
【発明の詳細な説明】
【０００１】
【発明の属する技術分野】
本発明は、平成６年１０月から放送が開始された「見えるラジオ」の受信機の改良に関し、受信した内容を記憶することができると共に他の表示や出力手段に対して送信することが可能なものである。
【０００２】
【従来の技術】
ラジオの文字放送は平成６年１０月から放送開始され、平成７年４月からは全国各地において放送されるようになっている。放送の番組内容も「ニュース、スポーツ及び天気予報」、「音声放送と連動した文字放送」、「交通情報」、「娯楽関係」と多種に渡っている。また最近では、交通渋滞情報を文字放送にて連続して流すことにより最新情報を視聴者に提供するようになっており、さらに発展したものではかかる情報をカーナビゲーションに入力して、運転者が誤って混雑地域に侵入しないように表示するようになっている。そのための手段として、ラジオ受信回路と、番組連動の文字放送の信号を文字化処理する回路と、該文字化処理された情報を記憶手段に一時記憶しながら液晶表示部に出力するように構成されたものにおいて、該ラジオ受信機にて好きな情報チャンネルを選択することができるように構成されている。また、超短波文字多重放送に関する送信の標準方式については、官報に掲載されておりメーカー各社はかかる方式に従って受信機が作られている。
【０００３】
【発明が解決しようとする課題】
しかしながら、かかる従来の文字放送受信機は、原則として視聴者がラジオの傍らにいるという前提で製造されているために、記憶手段としては、バッファーとしての一時記憶程度のものであり、記憶したデータ全ての再生等は考慮されていない。また、文字化情報は視覚的に確認できれば良く、その情報をペーパーダウン化することも考慮されていない。さらには、視聴者が当該ラジオ受信機の傍らにいることが前提とされているために、必要な情報を必要な時に、遠隔操作又は予約操作により受信・記憶する装置は存在していない。
そこで本発明は、かかる従来技術の欠点に鑑みなされたもので、予約操作により所定時間の所定周波数の所定番組における文字情報を記憶することが可能で、一旦記憶したデータをラジオ受信機の表示部だけではなく、大型ディスプレイに表示することが可能であると共にファックスやプリンターに出力することが可能な多機能のラジオ文字放送の受信機を提供することを目的とする。
【０００４】
【課題を解決するための手段】
すなわち本発明は、ラジオ文字放送の受信回路と、該受信回路で受信したデータを文字化処理するための文字化処理回路と、該文字化処理回路と結線された文字フォントセットと、前記文字化処理回路で文字化されたデータを表示手段、出力手段又は記憶手段に接続するための切替スイッチと、前記受信回路、文字化処理回路、切替スイッチと結線されたＣＰＵ及びブート命令ＲＯＭと、前記ＣＰＵに対して受信を希望する周波数・番組名・日時・開始時間及び終了時間を予約するための操作部とからなり、前記ＣＰＵが操作部より入力された周波数・番組名・日時・開始時間及び終了時間の予約に基づき所定時間になった時に、ラジオ受信回路の電源をＯＦＦからＯＮに切り替えると共にラジオ受信回路の受信周波数及び番組を所定のものに切り替えて受信を開始し、該受信回路で受信されたデータを文字化処理回路を介して文字化処理を行い、該文字化データを記憶手段にメモリーしていき、予約時間経過した後（終了時間後）にラジオ受信回路の電源をＯＮからＯＦＦに切り替えると共に、記憶手段への文字化データの蓄積を停止するように構成され、操作部からの指示に基づき記憶手段にメモリーされた文字化データをＣＰＵが切替スイッチを操作して表示手段又は出力手段に出力するように構成されたラジオ文字放送の自動受信機により本目的を達成する。
また請求項２の発明は、前記表示手段が、文字放送の自動受信機に配置されたディスプレイからなり、該ディスプレイは記憶手段から送信される文字化データを表示用フォーマット処理回路を介して表示するように構成されたラジオ文字放送の自動受信機。請求項３の発明は、前記表示手段が外部表示手段であり、該外部表示手段に表示させるために受信機に記憶手段から送信される文字化データを表示用フォーマット処理回路及び処理回路の出力データを外部表示手段に送信するための表示用インターフェースを有するラジオ文字放送の自動受信機。請求項４の発明は、前記出力手段が、プリンター若しくはファクシミリ等の外部出力手段であり、記憶手段から送信される文字化データを出力するために、受信機に出力用フォーマット処理回路及び該処理回路の出力を外部に接続するためのインターフェースを有するラジオ文字放送の自動受信機。
【０００５】
【作用】
すなわち、本発明にかかるラジオ受信機では、操作部からＣＰＵに入力することにより、所有者が見たいラジオ放送の日時・周波数及び番組等を入力する。すると、受信機にはタイマーがセットされた状態となり、人がラジオの傍ら居なくとも受信できる状態となる。そして所定時間となると、ラジオ文字放送の受信回路はＯＦＦからＯＮに切り替わり、ラジオ受信機は所定周波数の一般ラジオ番組の放送受信と文字放送番組との受信が、同時に行われ、文字放送の信号は文字化処理回路にて、文字化データ（デジタル）に変換され、切替スイッチを介して記憶手段にメモリーされていく。所定時間に到達した時点で、ラジオ受信回路のスイッチがＯＦＦからＯＮに切り替わると共に切替スイッチによる記憶手段との接続が遮断される。所有者が外出等から戻って記憶された内容を確認しようとする時は、操作部からＣＰＵに指令を出し、記憶手段の情報を表示部に出力するか若しくはプリンター等の出力部に出力するかについて指示を出す。すると該操作部からの指示に従い切替スイッチを介して記憶手段と表示部又は出力部とが結線され、記憶された内容を事後的に確認できる状態とする。
【０００６】
【発明の実施の形態】
以下に本発明を図示された実施例に従って詳細に説明する。図１において、１は公知の文字放送用のラジオ受信回路であり、該受信回路１の出力端子は、文字データ出力と音声データ出力とがあり、音声データ出力端子はラジオ再生回路２と結線されており、スピーカ３を介して出力される。文字データ出力端子は、文字化処理回路４と結線されており、該処理回路４は文字フォントセット５とアクセスしながら文字化処理を行う。文字化処理回路４の出力端子４ａは、表示側、出力側及び保存側の端子のいずれかと接続する切替スイッチ６を介して接続されるように構成されている。
【０００７】
表示側の端子は、表示用フォーマット処理回路７と結線されており、該表示用フォーマット処理回路７の出力側は二又に分岐しており一方は、受信機内部の液晶表示部８と接続され、他方は外部表示部用インターフェース９と接続されている。尚、１０は、インターフェース９を介して接続された外部ディスプレイである。
【０００８】
出力側の端子は、出力用フォーマット処理回路１２と結線されており、該フォーマット処理回路１２は出力切替スイッチ１４を介してプリンターインターフェース１６又はファクシミリインターフェース１８と接続される。
【０００９】
保存側の端子は、ＲＯＭ、磁気テープ等の記憶手段２０と結線されており、保存側端子から送信される文字化データは、前記記憶手段２０にメモリーされる。また該記憶手段２０に記憶されたデータは、ＣＰＵ２２から発せられる出力命令に従い文字化処理回路４の出力端子４ａに向けて出力される。
【００１０】
２４は、ＣＰＵ２２を操作する命令プログラムが記憶されたブート命令ＲＯＭであり、２５はＣＰＵ２２が動作のタイミングをとるために使用するクロック信号発生回路であり、２６は電源回路であり、２７は家電製品を制御するためのパソコン（図示せず）と接続するための直列データ送信用インターフェースであり、２８はＣＰＵ２２に対して文字放送の番組・時間を予約するための操作部である。３０は、一般公衆電話回線と接続するためのピックアップ機能を備えた電話用インターフェースであり、該インターフェース３０は２重トーンマルチ周波数（ＤＴＭＦ）の感知手段３２を介してＤＴＭＦ信号変換手段３４と結線されており、通話者は音声ガイダンス処理手段３６から送信される指示に従い、本実施例の受信機のＣＰＵ２２に対して番組等の予約を行うことができる。
【００１１】
前述した、ラジオ受信回路１、文字化処理回路４、切替スイッチ６、出力用フォーマット処理回路１２、出力切替用スイッチ１４、表示用フォーマット処理回路７、記憶手段２０、ＣＰＵ２２、ブート命令ＲＯＭ２４、クロック周波数発生回路２５、電源回路２６、操作部２８、ＤＴＭＦ信号変換手段３４及び音声ガイダンス処理手段３６は、データバス４０を介して相互に接続されている。
【００１２】
【００１３】
以上のべた構成において本実施例にかかる受信機への操作と該受信機の作用について図３乃至図５に示されたフローチャートに従い説明する。本実施例では、操作部２８若しくは電話回線を利用して文字放送の受信に関する予約を行う。
予約する内容としては日時、開始時間、終了時間、周波数及び番組名等である。電話回線を利用した予約は、図５に示すように電話用インターフェース３０を介して接続した時に音声ガイダンス処理手段３６から流れる音声ガイダンスに従いＤＴＭＦ信号を電話器から送信することによりＤＴＭＦ感知手段３４及びＤＴＭＦ信号変換手段３２により命令コマンドに変換され、開始日、開始時間、終了時間、周波数等が予約内容としてワークＲＡＭ３８にメモリーされることになる。
【００１４】
操作部２８等から入力された情報は、ＣＰＵ２２を介してワークＲＡＭ３８に記憶される。そして時間が経過し、予約時間になった時に、ワークＲＡＭ３８に記憶された情報に基づきＣＰＵ２２が作動し、ラジオ受信回路１をＯＦＦからＯＮに切り替え、所定のチャンネル及び所定の番組の文字放送を受信できる状態とする。予約内容がデータの保存である時は、切り替えスイッチ６は文字化処理回路４の出力端子４ａと記憶手段２０の入力端子とを接続し、通電状態とする。かかる状態において文字化処理回路４では、ラジオ受信回路１で検波された文字に関する信号を文字フォントセット５を利用しながら、文字化データに変換させ、これらデータをメモリー容量に余裕のある間記憶手段２０にメモリー（蓄積）させていく。
そして、予約された終了時間になった時に、ラジオ受信回路１をＯＮからＯＦＦに切り替えると共に記憶手段２０へのデータの入力を遮断する。この結果記憶手段２０には、所定チャンネルの所定番組の必要な情報が記憶された状態となる。
【００１５】
次に受信機の所有者が、記憶手段２０にメモリーされた情報を確認しようとする場合には、本実施例の受信機では出力してペーパーダウンするか、ディスプレイ７等に表示するかの選択ができるように構成されている（図４）。すなわち操作部２８を操作することによりまず表示か出力の選択を行う、出力を選択した場合には出力端子としてプリンターインタフェース１６及びファクシミリインターフェース１８とがあるので操作部２８を操作することにより出力切替スイッチ１４の接続場所を選択する。また選択したプリンターインターフェース１６又はファクシミリインターフェース１８に、当該機器を接続する。表示を選択した場合には、本体のディスプレイ８に表示するか外部のディスプレイに表示するかであるが、外部ディスプレイに表示させるときには、表示用インターフェース９と外部ディスプレイとを接続する。かかる状態において操作部２８から記憶データの出力命令を記憶手段２０に対して行い、表示の場合は、ディスプレイ８又は外部ディスプレイ１０に表示がなされ、出力の場合は、接続されたプリンター又はファクシミリに出力されることになる。
【００１６】
【００１７】
尚、本実施例では、切替スイッチ６の操作により選択的に保存手段である記憶手段２０の入力端子、出力手段である出力用フォーマット処理回路１２の入力端又は表示手段である表示用フォーマット処理回路７のいずれかと接続するように構成したが、本件受信機を携帯するときには常時本体のディスプレイ８と文字化処理回路４とが接続状態となるように構成しても良いことはいうまでもない。また記憶手段２０に文字化データを入力する場合及び出力用フォーマット処理回路１２に入力する場合にも、並列的に文字化処理回路４と表示用フォーマット処理回路７とを接続するように構成しても良い。
【００１８】
また、家電制御ＰＣ接続端子２７は、操作部２８若しくは電話回線を利用した通信により、家電製品のＯＮ・ＯＦＦの制御を行うパソコンに対して指示命令を出すためのものであり、電話回線を介して本受信機と接続することにより電話からのＤＴＭＦ信号により家電製品のＯＮ・ＯＦＦ、タイマーのスイッチ等の命令をすることができる。
【００１９】
【発明の効果】
以上述べたように本発明にかかる受信機は従来の装置では行われなかった所定周波数の所定番組のラジオ文字放送データの記憶化を行うように構成したので、視聴者が必要な文字放送が行われる時に、その場に居会わせなくとも、直接若しくは電話回線を介して予め予約登録しておけば、後で放送された文字放送の番組情報を黙視することが可能となる。また本発明にかかる受信機は、従来の機器では本体に設置された表示用ディスプレイに表示された少ない表示（例えば２５文字×５行）を見るしかなかったが、画面の大きな外部ディスプレイに表示させたり、プリンター若しくはファクシミリ等の出力手段に出力させたりするインターフェースの機能も備えているので、一度に多数の表示を見ることが可能となる。
【図面の簡単な説明】
【図１】 本発明にかかる受信機の回路図である。
【図２】 本発明にかかる受信機をテレビ文字放送に使用する場合の受信機の部分回路図である。
【図３】 本発明にかかる受信機の予約操作と作用を説明するフローチャートである。
【図４】 本発明にかかる受信機の表示及び出力の操作と作用を説明するフローチャートである。
【図５】 本発明にかかる受信機の電話からの予約操作と作用を説明するフローチャートである。
【符号の説明】
１ ラジオ受信回路
２ ラジオ再生回路
３ スピーカー
４ 文字化処理回路
５ 文字フォントセット
６ 切替スイッチ
７ 表示用フォーマット処理回路
８ ディスプレイ
９ 表示用インターフェース
１０ 外部ディスプレイ
１２ 出力用フォーマット処理回路
１４ 出力用切替スイッチ
１６ プリンターインターフェース
１８ ファクシミリインターフェース
２０ 記憶手段
２２ ＣＰＵ
２４ ブート命令ＲＯＭ
２５ ＣＬＯＣＫ回路
２６ 電源回路
２７ 家電制御ＰＣ接続端子
２８ 操作部
３０ 電話用インターフェース
３２ ＤＴＭＦ信号変換手段
３４ ＤＴＭＦ感知手段
３６ 音声ガイダンス処理手段
３８ ワークＲＡＭ
４０ データバス
【図１】
0003729941.tif 000002
【図２】
0003729941.tif 000003
【図３】
0003729941.tif 000004
【図４】
0003729941.tif 000005
【図５】
0003729941.tif 000006